(57)【要約】【課題】分解中の生ごみから発生する臭いの放散に対して緩臭器による緩臭剤の供給を遅れることなく行わしめ得るようにする。【解決手段】押ボタン１０の動作に応じて生ごみ投入用の開口部４を開放する又は開放可能となる蓋５を具えた処理機本体１に、押ボタン１０の動作に応動して処理機本体１内に緩臭剤を供給する緩臭器１９を設けることにより、蓋５が開放する前の、押ボタン１０を操作した時点で、緩臭器１９による緩臭剤の供給が行われるようにした。【選択図】  図１
2004160299.tif 000002
【特許請求の範囲】
【請求項１】
開口部を具え、その開口部から収容した生ごみを処理する機能を有すると共に、動作が使用者によって操作される蓋開放操作子、並びにこの蓋開放操作子の動作に応じて前記開口部を開放する又は開放可能となる蓋を具えた処理機本体と、
この処理機本体に、前記蓋開放操作子の動作に応動して処理機本体内に緩臭剤を供給するように設けられた緩臭器とを具備して成ることを特徴とする生ごみ処理機。
【請求項２】
処理機本体内に緩臭剤を供給する口が、向きを異ならせて複数存することを特徴とする請求項１記載の生ごみ処理機。
【発明の詳細な説明】
【０００１】
【発明の属する技術分野】
本発明は緩臭機能を有する生ごみ処理機に関する。
【０００２】
【従来の技術】
従来より、生ごみ処理機においては、生ごみを処理するときに発生する臭いが問題であり、その臭いを除去するために、例えば白金や酸化マンガン等の触媒を用いた吸着分解形の脱臭装置が具えられている。
【０００３】
しかしながら、生ごみの種類や量、及び外部環境は家庭によって異なり、それに応じて、発生する臭いの種類や量等も異なり、上述の脱臭装置ではそれを完全に除去することは困難である。又、臭いは、種類によってはわずかの量でも感じることがあり、上述の脱臭装置で除去し切れずに残った微量の臭いでも、使用者に不快感を与えてしまう。
【０００４】
このような臭いに対しては、消臭剤や芳香剤等の緩臭剤が有効である。又、生ごみ処理機で発生した臭いは、生ごみ処理機の蓋が閉じられているときには内部に封じ込められて外部に漏れることはなく、蓋を開けたときに外部に放散する。
【０００５】
そこで、生ごみ処理機の内部、例えば蓋の裏面に、緩臭剤、特には自然放香する芳香剤を装着し、その芳香によって、蓋を開けたときに拡散する臭いを感じなくする考えがある。しかしながら、その装着した芳香剤は、蓋を開けたときだけでなく、蓋を閉じた状態でも放香し続けるため、芳香剤の消費寿命が短く、芳香効果が短期に失われてしまう。
【０００６】
これに対して、生ごみ処理機の内部に緩臭剤を噴霧供給し得る緩臭器を設けると共に、蓋の開放を検知するセンサを設け、このセンサで蓋の開放が検知されたときに上記緩臭器による緩臭剤の噴霧供給をするようにしたものがあり（例えば、特許文献１参照）、あるいは生ごみ処理機の蓋のヒンジ部にカム部を設けて、蓋が開けられたときのそのカム部の変位により、上記緩臭器による緩臭剤の噴霧供給をするようにしたものがある（例えば、特許文献２参照）。
【０００７】
【特許文献１】
特開２００１−１９１０５８号公報（図７）
【０００８】
【特許文献２】
特開２０００−２７９９２８号公報（図７）
【０００９】
【発明が解決しようとする課題】
しかしながら、上述のごとくしたものでは、いずれにおいても、緩臭器による緩臭剤の噴霧供給が、蓋が開いた後の時点で行われるものであるため、臭いの放散（蓋の開放）に対して緩臭器による緩臭剤の噴霧供給が遅れ、その分、使用者に臭いを感じさせて不快にさせてしまうという欠点を有していた。
【００１０】
本発明は上述の事情に鑑みてなされたものであり、従ってその目的は、臭いの放散に対して緩臭器による緩臭剤の供給が遅れずに行われ、使用者を不快にさせることのない生ごみ処理機を提供するにある。
【００１１】
【課題を解決するための手段】
上記目的を達成するために、本発明の生ごみ処理機は、開口部を具え、その開口部から収容した生ごみを処理する機能を有すると共に、動作が使用者によって操作される蓋開放操作子、並びにこの蓋開放操作子の動作に応じて前記開口部を開放する又は開放可能となる蓋を具えた処理機本体と、この処理機本体に、前記蓋開放操作子の動作に応動して処理機本体内に緩臭剤を供給するように設けられた緩臭器とを具備して成ることを特徴とする。
【００１２】
このものによれば、蓋が開放する前の、蓋開放操作子を操作した時点で、緩臭器による緩臭剤の供給が行われる。
この場合、処理機本体内に緩臭剤を供給する口が、向きを異ならせて複数存するものであるとなお良い。
このものでは、緩臭剤を緩臭器から生ごみ処理機の内部に拡散して供給できることにより、緩臭効果を迅速且つより効果的に及ぼさせることができる。
【００１３】
【発明の実施の形態】
以下、本発明の第１実施例につき、図１ないし図６を参照して説明する。
まず、図２には、生ごみ処理機の本体（処理機本体）１を示している。この処理機本体１は、円筒形部２ａの後側に角筒形部２ｂを一体に有する外筐２と、これの上縁部に装着したリング状の上枠３、及びこの上枠３が囲繞した開口部４を閉鎖した蓋５とで外殻を構成している。
【００１４】
上記外筐２の内部には、図１に示すように、処理槽６を配設している。この処理槽６は、内部が上記開口部４に通じて、該開口部４から投入される生ごみ（図示せず）を収容するもので、その内底部には撹拌体７を配設している。この撹拌体７は、処理槽６内に収容された生ごみを撹拌するもので、これを適度な速度で回転させる駆動装置である減速機付きのモータ８を処理槽６の外底部に配設している。
【００１５】
なお、この場合、処理槽６の内部には、あらかじめ、バチルス菌等の微生物を含んだ例えばおが屑や、木のチップ、ピートモスといった基材（これも図示せず）が収容されており、従って、処理槽６内に収容された生ごみは、その基材と共に撹拌され、それにより、微生物と満遍なく接触して該微生物により分解処理されるようになっている。又、処理槽６と外筐２との間には、生ごみを処理するときに発生する臭いを除去する、例えば白金や酸化マンガン等の触媒を用いた吸着分解形の脱臭装置（これも図示せず）を設けている。
【００１６】
前記蓋５は、後部が、外筐２の上部で支軸９により上下に回動可能に枢支されており、その上方への回動によって開口部４を開放するようになっている。又、この蓋５の上方への回動（開放）は、支軸９に巻装して設けた捩りコイルスプリングなど図示しない付勢手段の付勢力によって行われるようになっている。
【００１７】
又、前記上枠３の前部には、蓋５を開放させるための蓋開放操作子である押ボタン１０を上下に出没動作可能に設けている。この押ボタン１０の下面には、図３に示すように、突起１１を後側（図中右側）に、突起１２を前側（同左側）に設けている。このうち、後側の突起１１の下方には、蓋係合部材であるレバー１３が位置している。このレバー１３は、処理槽６に支軸１４によって上下に回動可能に枢支したもので、その支軸１４より後側の部分と、それより下位において処理槽６の外面に突設した突起１５との間には、引張コイルスプリング１６を架設し、これによって、レバー１３の支軸１４より前側の部分が押ボタン１０の後側の突起１１の下端に下方より接して該押ボタン１０を押し上げている。
【００１８】
一方、レバー１３の支軸１４より後側の部分の先端は、爪部１７として形成され、この爪部１７が閉鎖状態の蓋５の前部の被係合部１８と係合して該蓋５を閉鎖状態に保持するようになっている。
【００１９】
以上の処理機本体１に対して、押ボタン１０の前側の突起１２の下方には、緩臭器１９を配設している。この緩臭器１９は、容器２０の内部に緩臭剤２１を収容して成るもので、その緩臭剤２１には消臭剤又は芳香剤を使用している。又、この緩臭器１９の容器２０には、吸出管２２を上方より挿入し、この吸出管２２の上端部に噴射口２３を有する噴射ボタン２４を装着している。緩臭器１９は、その噴射ボタン２４が上方より下方へ押されたときに、容器２０内から緩臭剤２１を吸出管２２を通じ吸出して噴射口２３から例えば霧状に噴射するようになっている。
【００２０】
外筐２には前面部にも開口部２５を形成しており、この開口部２５には上扉２６とそれより充分に大きな下扉２７とを設けている。このうち、上扉２６は上部が支軸２８により外筐２に枢支されて前後に回動可能、下扉２７は下部が支軸２９により外筐２に枢支されて前後に回動可能となっており、これらの前後の回動によって開口部２５を開閉するようになっている。なお、図２には、それらの開放のための手掛け部３０，３１を示している。
【００２１】
しかして、下扉２７の裏側（処理槽６側）には、図３に示すように、下部に緩臭器置き台部３２を形成しており、前記緩臭器１９は、この緩臭器置き台部３２上に置くことによって、下扉２７の閉鎖状態で前記押ボタン１０の前側の突起１２の下方に位置し、その突起１２の下端面に噴射ボタン２４の上面を当接させている。
【００２２】
そして更に、処理槽６の前部には、処理機本体１内、特には処理槽６内に緩臭剤２１を供給するための口（供給口）３３を設けている。この供給口３３は、図４にも示すように、ほゞ円筒形の口体３４に複数設けられたもので、この場合、その全部が水平に指向している。
供給口３３は、処理槽６側とは反対の側で、前記緩臭器１９の噴射口２３に、可撓性と共に伸縮性を有する例えば蛇腹状の接続チューブ３５を介して接続している。
【００２３】
次に、上記構成のものの作用を述べる。
処理機本体１における生ごみの処理については既述のごとくであり、その生ごみを処理槽６内に投入するには、蓋５を開けなければならず、蓋５を開けるには蓋開放操作子である押ボタン１０を図５に矢印Ａで示すように押し下げ操作しなければならない。押ボタン１０を押し下げ操作すると、該押ボタン１０の下降動作により、突起１２が緩臭器１９の噴射ボタン２４を押し下げるので、容器２０内からは緩臭剤２１が吸出管２２を通じ吸出されて噴射口２３から噴射され、それが更に接続チューブ３５を通って口体３４の供給口３３から処理槽６内に噴射供給される。
【００２４】
又、このとき、押ボタン１０は、突起１１によってレバー１３の前側部分を押し下げ、該レバー１３の後側部分が上げられるので、その先端の爪部１７による蓋５の係合（蓋５の閉鎖保持）が解除される。解除された蓋５は図示しない付勢手段の付勢力により上方に回動されて開く。このようにして蓋５が開くとき、処理槽６内には上述の供給口３３から噴射された緩臭剤２１が供給されている。
【００２５】
なお、前記緩臭器１９の噴射ボタン２４の押し下げには、接続チューブ３５がその可撓性により追従する。又、押ボタン１０の押し下げ操作を解除すれば、スプリング１６の復元力によってレバー１３が戻されるので、押ボタン１０も該レバー１３の前側部分で押し上げられ、更にこのとき、緩臭器１９においても、噴射ボタン２４を押し上げ復帰させるようになっているので、これに伴っても押ボタン１０が押し上げ復帰される。
【００２６】
図６は、緩臭器１９の緩臭剤２１を補充するときの様子を示しており、上扉２６と下扉２７とを開け、この状態から容器２０より吸出管２２を抜き取り、次いで、容器２０を緩臭器置き台部３２の上から取出す。このとき、噴射ボタン２４の前方への移動に、接続チューブ３５がその伸縮性（伸長性）により追従する。しかして、取出した容器２０に緩臭剤２１を補充した後は、容器２０を緩臭器置き台部３２の上に戻し、容器２０に吸出管２２を挿入して、下扉２７及び上扉２６を閉じる。
【００２７】
このように本構成のものでは、蓋５が開放する前の、押ボタン１０（蓋開放操作子）を操作した時点で、緩臭器１９による緩臭剤２１の供給が行われるもので、処理槽６内の分解中の生ごみから発生する臭いの放散（蓋５の開放）に対して緩臭器１９による緩臭剤２１の供給を従来のもののような遅れることなく行わしめ得、もって使用者を不快にさせることのないようにできる。
【００２８】
以上に対して、図７は本発明の第２実施例を示すものであり、上記第１実施例と同一の部分には同一の符号を付して説明を省略し、異なる部分についてのみ述べる。
このものの場合、供給口４１（処理槽６内に緩臭剤２１を供給するための口）を、前述の供給口３３に代わって、口体４２に複数、それぞれ向きを異ならせ、例えば中心部のものが水平で、それ以外の周囲のものが処理槽６内に向かって漸次拡開するように設けている。
【００２９】
このようにすることにより、緩臭剤２１を緩臭器１９から処理槽６内に拡散して供給できることにより、緩臭効果を迅速且つより効果的に及ぼさせることができる。
このほか、本発明は上記し且つ図面に示した実施例にのみ限定されるものではなく、特に蓋５は、押ボタン１０（蓋開放操作子）が操作されたときに自動的に開放されるものではなく、開放可能となることによって、その後の使用者の操作によって開放されるものであっても良いなど、要旨を逸脱しない範囲内で適宜変更して実施し得る。
【００３０】
【発明の効果】
以上説明したように、本発明の生ごみ処理機によれば、分解中の生ごみから発生する臭いの放散に対して緩臭器による緩臭剤の供給を遅れることなく行わしめ得て、使用者を不快にさせることのないようにできるという著効を奏する。
【図面の簡単な説明】
【図１】本発明の第１実施例を示す全体の、開蓋状態での側面図
【図２】全体の、閉蓋状態での外観斜視図
【図３】主要部分の、閉蓋状態での拡大縦断側面図
【図４】緩臭剤供給口部分の背面図
【図５】主要部分の、緩臭剤供給状態での拡大縦断側面図
【図６】主要部分の、上・下扉開放状態での拡大縦断側面図
【図７】本発明の第２実施例を示す緩臭剤供給口部分の拡大縦断側面図
【符号の説明】
１は処理機本体、４は開口部、５は蓋、６は処理槽、１０は押ボタン（蓋開放操作子）、１９は緩臭器、２１は緩臭剤、４１は供給口（処理機本体内に緩臭剤を供給する口）を示す。
【図１】
2004160299.tif 000003
【図２】
2004160299.tif 000004
【図３】
2004160299.tif 000005
【図４】
2004160299.tif 000006
【図５】
2004160299.tif 000007
【図６】
2004160299.tif 000008
【図７】
2004160299.tif 000009